(57)【要約】【課題】天井に取り付けた際にでも誘引気流を増加させ体感風速を向上させる。【解決手段】空気を吸い込んで吹出す送風部１と、送風部１を複数個、環状に並べた連結体２と、連結体２を天井３と所定の距離を設けて取り付ける天井取付部４と、を備え、送風部１は、中空であって筒状に形成されたケーシング５と、ケーシング５の上部で空気をケーシング５内部に吸い込む吸込口７と、ケーシング５の下部で空気をケーシング外部へ吹出す吹出口８と、ケーシング５内部に配置され吸込口７から吸い込んだ空気を吹出口８へ送風するクロスフローファン９と、を備え、連結体２において、吹出口８を、ケーシング５下面の内周側で吹出面１５を下方に向けて設け、吸込口７を、ケーシング５上部の外周側に吸込面１１を水平方向に向けて設け、ケーシング５の上面から環状の内側および下方への通風空間１０を形成した。【選択図】図１
2017172520.tif 000002
【特許請求の範囲】
【請求項１】
空気を吸い込んで吹出す送風部と、
前記送風部を複数個、環状に並べた連結体と、
前記連結体を天井と所定の距離を設けて取り付ける天井取付部と、を備え、
前記送風部は、
中空であって筒状に形成されたケーシングと、
前記ケーシングの上部で空気をケーシング内部に吸い込む吸込口と、
前記ケーシングの下部で空気をケーシング外部へ吹出す吹出口と、
前記ケーシング内部に配置され前記吸込口から吸い込んだ空気を前記吹出口へ送風する送風ファンと、を備え、
前記連結体において、前記吹出口を、前記ケーシングの下面の内周側で吹出面を下方に向けて設け、前記吸込口を、前記ケーシングの上部の外周側に吸込面を水平方向に向けて設け、前記ケーシングの上面から前記環状の内側および下方への通風空間が形成されている送風装置。
【発明の詳細な説明】
【技術分野】
【０００１】
本発明は、直接気流および直接気流に誘引される誘引気流による体感温度の減少や室内の空気の循環に使用される送風装置に関するものである。
【背景技術】
【０００２】
従来の天井に取り付ける送風装置には、羽根を遮蔽することで安全性を向上すべく、吹出す気流によって周囲の空気を誘引する誘引作用を利用して、送風装置下方における送風量を確保するものがある。その一例として特許文献１に示す構成がある。以下、その構成について図４を参照しながら説明する。
【０００３】
図４は、従来の送風装置の構成を示す断面図である。図４に示すように、周囲の空気を吸い込んで後述する吹出部１０１へ送風する送風部１０２が、天井１０９に取り付けるための天井取付部１０３を介して天井に取り付けられている。送風部１０２には、中空の円環状に形成された吹出部１０１が送風部１０２と空気の流通が可能に接続されている。そして、吹出部１０１の下部には、環状に開口した吹出口１０４が形成されている。送風部１０２の一面には周囲の空気を送風部１０２内に吸い込むための吸込口１０５が開口している。そして送風部１０２内には、吸込口１０５から空気を吸い込んで吹出部１０１へ送風するためのファン１０６とファン１０６を回転させるためのモータ１０７とが備えられている。
【０００４】
次に、上記構成の動作について説明する。
【０００５】
送風部１０２のモータ１０７を駆動しファン１０６を回転させると、吸込口１０５から吸込気流１１０が送風部１０２内へ吸い込まれる。吸い込まれた空気は吹出部１０１に送風され、吹出部１０１の吹出口１０４より吹出気流１１１として吹出される。吹出気流１１１は、吹出部１０１の上方および周囲の空気を誘引し、誘引気流１０８を生成する。このようにして、吹出口１０４から吹出される吹出気流１１１に誘引気流１０８を加えることで送風量を増加させる。
【先行技術文献】
【特許文献】
【０００６】
【特許文献１】特開２０１２−１３２４５９号公報
【発明の概要】
【発明が解決しようとする課題】
【０００７】
天井に取り付けられる送風装置には、風量や安全性だけでなく、送風装置による空間的な圧迫感を低減し部屋を広く感じさせることが望まれる。すなわち、送風装置は天井面に限りなく近づけて取り付けることが求められている。
【０００８】
しかしながら、上記構成では、天井と外郭との距離が小さくなるため、外郭の外側で天井面側に必要な誘引気流の流路が狭くなり、誘引気流の生成が困難であった。そのため送風装置下方における風量が低下し気流感が悪化してしまうものであった。
【０００９】
そこで、本発明は、上記課題を解決し、圧迫感の低減のため天井に近づけて取り付けても送風装置下方における風量を確保できる送風装置を提供するものである。
【課題を解決するための手段】
【００１０】
そして、本発明の送風装置は、空気を吸い込んで吹出す送風部と、前記送風部を複数個、環状に並べた連結体と、前記連結体を天井と所定の距離を設けて取り付ける天井取付部と、を備え、前記送風部は、中空であって筒状に形成されたケーシングと、前記ケーシングの上部で空気をケーシング内部に吸い込む吸込口と、前記ケーシングの下部で空気をケーシング外部へ吹出す吹出口と、前記ケーシング内部に配置され前記吸込口から吸い込んだ空気を前記吹出口へ送風する送風ファンと、を備え、前記連結体において、前記吹出口を、前記ケーシングの下面の内周側で吹出面を下方に向けて設け、前記吸込口を、前記ケーシングの上部の外周側に吸込面を水平方向に向けて設け、前記ケーシングの上面から前記環状の内側および下方への通風空間が形成されているものである。これにより所期の目的を達成するものである。
【発明の効果】
【００１１】
これにより、通風空間を流れる気流を増加させることができるので、圧迫感の低減のため天井に近づけて取り付けても送風装置下方における風量を確保できる送風装置を提供するものである。
【図面の簡単な説明】
【００１２】
【図１】本発明の実施の形態１にかかる送風装置の斜め上方から見た斜視図
【図２】同実施の形態１にかかる送風装置を下方からみた斜視図
【図３】同実施の形態１にかかる送風装置の断面図（図１の破線における断面図）
【図４】従来の送風装置の構成を示す断面図
【発明を実施するための形態】
【００１３】
本発明の請求項１にかかる送風装置は、空気を吸い込んで吹出す送風部と、前記送風部を複数個、環状に並べた連結体と、前記連結体を天井と所定の距離を設けて取り付ける天井取付部と、を備え、前記送風部は、中空であって筒状に形成されたケーシングと、前記ケーシングの上部で空気をケーシング内部に吸い込む吸込口と、前記ケーシングの下部で空気をケーシング外部へ吹出す吹出口と、前記ケーシング内部に配置され前記吸込口から吸い込んだ空気を前記吹出口へ送風する送風ファンと、を備え、前記連結体において、前記吹出口を、前記ケーシングの下面の内周側で吹出面を下方に向けて設け、前記吸込口を、前記ケーシングの上部の外周側に吸込面を水平方向に向けて設け、前記ケーシングの上面から前記環状の内側および下方への通風空間が形成されているものである。
【００１４】
これにより、吸込口に向かう吸込気流による空気の誘引作用を強め、送風部の外周側上方から通風空間を通過して下方へと吹出される気流を増加させることができる。その結果、送風装置下方に向かって吹出される風量が増加するため、送風装置下方における送風量を確保できる送風装置を提供することができるのである。
【００１５】
以下、添付図面を参照して、本発明の実施の形態につき説明し、本発明の理解に供する。なお、以下の実施の形態は、本発明を具体化した一例であって、本発明の技術的範囲を限定するものではない。また、全図面を通して、同一の部位については同一の符号を付して説明を省略している。さらに、本発明に直接には関係しない各部の詳細については重複を避けるために、各図面ごとの説明は省略している。
（実施の形態１）
図１および図２に示すように、本実施形態の送風装置は、空気を吸い込んで吹出す送風部１と、送風部１を５つ環状に並べて連結した連結体２と、連結体２を天井３に取り付ける天井取付部４を備えている。
【００１６】
送風部１は、ケーシング５およびモータケース６を備えている。
【００１７】
ケーシング５は、中空の筒状に形成されており、ケーシング５の長手方向は水平方向に向けて設けられている。ケーシング５には、図３に示すように、周囲の空気をケーシング５内に取り入れる吸込口７、および、ケーシング５内に取り込まれた空気を吹出す吹出口８が開口している。ケーシング５の内部には、空気を吸込口７から吸い込んで吹出口８から吹出すための送風ファンとしてのクロスフローファン９が設けられている。
【００１８】
そして、ケーシング５の上面から環状の内側を貫通して下方へ気流が通過する空間、すなわち、ケーシング５の上面から連結体２の内側および下方へ環状の内側に通風空間１０が形成されている。これにより、連結体２の内側において、ケーシング５外側に吸込口７から吹出口８にかけて通風空間１０に沿った壁面が形成される。
【００１９】
吸込口７は、連結体２に対し外周側に開口している。吸込口７は、ケーシング５の側面であって上部（ケーシング５の中央よりも上方、ケーシングの上部）に設けられている。吸込口７の吸込面１１は、天井３面に対して平行に吸込気流１２が流れるように水平方向に向けて設けられている。
【００２０】
特に、吸込口７は、クロスフローファン９の回転軸１３よりも上方に設け、その開口が、ケーシング５の側面であって上面側である上端１４、すなわち、ケーシング５の側面の最上部から中間部へ開口するように設けるのが望ましい。それは、吸込口７をケーシング５の上端１４に近づけることで送風部１と天井３との間を通過し通風空間１０に流れ込む気流をより増加させることができるからである。
【００２１】
ケーシング５の吹出口８は、ケーシング５の底面であって連結体２の内周側、すなわち、送風部１が環状に連結した連結体２に対して内周側に開口している。吹出口８は、ケーシング５の中央よりも内周側に設けられており、吹出口８の吹出面１５は下方に向けて設けられている。また、吹出口８は、ケーシング５の底面であって、クロスフローファン９の回転軸１３よりも連結体２の最内周側に位置する内周端１６側に開口するように設けることが望ましい。それは、吹出口８をケーシング５の内周端１６に近づけることで吹出気流１７によって誘引され通風空間１０を通過する気流をより増加させることができるからである。
【００２２】
また、ケーシング５の筒状の中心軸を横切る断面形状は、連結体２において内周側に位置する外壁面が、吸込口７から吹出口８にかけてなめらかな曲線形状となっている。これにより通風空間１０内をケーシング５に沿って流れる気流がケーシング５から剥離して乱流となるのを抑制することができる。
【００２３】
モータケース６は、中空の球状体形状に形成され、その内部にモータ１８を内包している。また、モータケース６は、ケーシング５に対し水平方向に連結されている。そして、モータケース６内のモータ１８は、ケーシング５内のクロスフローファン９と軸支されている。なお、本実施形態では、モータケース６をケーシング５とは別体とし、その形状を球状に形成したが、ケーシング５内にモータ１８を備えてもよい。すなわち、ケーシング５内のクロスフローファン９を回転させることができればよい。また、モータケース６の形状は球状に限られたものではない。
【００２４】
図１に示す天井取付部４は、送風部１を支持する支持部１９と、支持部１９を天井に取り付ける取付部２０を備えている。
【００２５】
支持部１９は、中央から放射状に伸びた筒状のアーム２１と取付部２０と連結された棒状の支持棒２２とを備えている。アーム２１の一端はモータケース６に連結されている。支持棒２２は伸縮自在になっており、天井３と送風部１との距離を自在に変更することができる。
【００２６】
また、図３に示すように、送風部１のケーシング５に設けられた吸込口７の上下方向幅２３は、天井３と送風部１との距離２４よりも小さくしている。これにより天井面に誘引気流が接触しもしくは停留しにくいようにし、天井面への埃・塵の付着を抑制している。
【００２７】
上記構成における動作について説明する。モータ１８を駆動し、クロスフローファン９を回転させるとケーシング５の吸込口７よりケーシング５内に空気が吸い込まれる。そして、吸い込まれた空気はケーシング５の吹出口８から下方に向けて吹出される。吹出された吹出気流１７は、空気の粘性により周囲の空気を誘引しながら下方に流れる。
【００２８】
送風部１は環状に連結した連結体２となっているため、吹出気流１７は環状の気流となる。そして、吹出気流１７によって誘引される吹出誘引気流２５は、吹出気流の内周側および外周側に生成される。この吹出誘引気流２５の一部は、連結体２の内側に形成される通風空間１０を通過して流れる。
【００２９】
ここで、本実施の形態では、吸込口７をケーシング５の側面上部であって連結体２の外周側に設け、また、吸込面１１を水平方向に向けて開口している。このようにすることで、送風装置の周囲から通風空間１０に向かって流れ、通風空間１０を通過して下方へと吹出される気流を増加させることができる。
【００３０】
すなわち、吸込口７をケーシング５の外周側に設けることで、吸込気流１２によって誘引される吸込誘引気流２６を送風装置の周囲から通風空間１０に向けて誘引することができる。そして、吸込口７をケーシング５の側面上部に設けることで、吸込気流１２によって室内上方の空気が誘引され、送風部１と天井３との間を通過して通風空間１０に向かう吸込誘引気流２６を確保することができる。また、吸込口７の吸込面１１を水平方向に向けた面とすることで、吸込気流１２の向きを連結体２の中心方向に揃え、誘引される空気を連結体２の外周から通風空間１０内へ導くことができる。
【００３１】
なお、本実施形態では連結体２を構成する送風部１を５つとした場合を示したが、送風部の数量は５つに限られるものではなく、環状に連結体２を構成できればよい。すなわち、少なくとも３つ以上の送風部１で構成すればよい。
【００３２】
以上述べたようにして、周囲から通風空間１０に向かって流れる気流を確保し、通風空間１０を通過して下方へ誘引された空気を吹き出すことができる。したがって、圧迫感の低減のため天井に近づけて取り付けても送風装置下方における風量を確保できる送風装置を提供するものである。
【産業上の利用可能性】
【００３３】
本発明に係る送風装置は、居室内の天井に設置され、直接風による体感温度の減少や室内の空気の循環に使用される各種送風機器等として有用である。
【符号の説明】
【００３４】
１    送風部
２    連結体
３    天井
４    天井取付部
７    吸込口
８    吹出口
９    クロスフローファン
１０    通風空間
１１    吸込面
１５    吹出面
【図１】
2017172520.tif 000003
【図２】
2017172520.tif 000004
【図３】
2017172520.tif 000005
【図４】
2017172520.tif 000006